(57)【要約】【解決手段】    脚部に延伸脚収納脚部を設けてなる脚立であって、延伸脚収納脚部は、左右両側に延伸可能な延伸脚を収納可能な脚部であって、延伸脚は、脚立を使用しないときは、延伸脚収納脚部の内部、及び／又は、外部に収納され、脚立を使用するときは、延伸脚収納脚部の内部、及び／又は、外部から、延伸脚収納脚部の左右両側に延伸されるものであって、脚立を使用するときに、延伸脚収納脚部の左右両側に延伸脚を延伸することによって、脚立の転倒防止性を顕著に改善せしめる機能を発揮することを特徴とする脚立。【効果】  脚立を使用するときに、延伸脚収納脚部の左右両側に延伸脚を延伸することによって、脚立の転倒防止性を顕著に改善せしめる機能を発揮する。【選択図】  図５
2010285824.tif 000002
【特許請求の範囲】
【請求項１】
脚部に延伸脚収納脚部を設けてなる脚立であって、
延伸脚収納脚部は、左右両側に延伸可能な延伸脚を収納可能な脚部であって、
延伸脚は、
脚立を使用しないときは、延伸脚収納脚部の内部、及び／又は、外部に収納され、
脚立を使用するときは、延伸脚収納脚部の内部、及び／又は、外部から、延伸脚収納脚部の左右両側に延伸されるものであって、
脚立を使用するときに、延伸脚収納脚部の左右両側に延伸脚を延伸することによって、脚立の倒立安定性を顕著に改善せしめる機能を発揮することを特徴とする脚立。
【請求項２】
脚部につかまり棒を設けてなる脚立であって、
つかまり棒は、長さが伸縮自在であると共に、一端が脚部上方に設けた支点に回動自在に固定されて、他端が支点を中心として回動自在であり、
脚立を使用しないときは、つかまり棒の長さをちぢめると共に、ちぢめたつかまり棒を、一端は脚部上方に設けてなる支点に、他端は脚部下方に設けてなる非使用時固定具によって、脚部に沿って邪魔にならないように固定収納され、
脚立を使用するときは、つかまり棒を、非使用時固定具から解除して、長さを延伸した後に固定すると共に、脚部上方に設けてなる支点を中心として上方に回動することによって、
つかまり棒を手摺り上方に延伸し、且つ、つかまり棒を手摺り上方に設けてなる使用時固定具により固定されるものであって、
脚立の利用者が脚立を使用するときに、手摺りのみならず、手摺り上方に延伸したつかまり棒をもつかまることによって、
転倒防止性を顕著に改善せしめる機能を発揮することを特徴とする脚立。
【請求項３】
脚部に突っ張り棒を設けてなる脚立であって、
突っ張り棒は、長さが伸縮自在であり、一端が脚部上方に設けた支点に回動自在に固定されて、他端が支点を中心として回動自在であり、他端にはパッドを固定可能であり、
脚立を使用しないときは、突っ張り棒の他端にパッドを取り付けることなく、長さをちぢめると共に、ちぢめた突っ張り棒を、一端は脚部上方に設けてなる支点に、他端は脚部下方に設けてなる非使用時固定具によって、脚部に沿って邪魔にならないように固定収納され、
脚立を使用するときは、突っ張り棒を、非使用時固定具から解除して、長さを延伸し、且つ、他端にパッドを取り付けると共に、脚部上方に設けてなる支点を中心として上方に回動することによって、
突っ張り棒を手摺り上方から天井に向かって延伸し、且つ、突っ張り棒を手摺り上方に設けてなる使用時固定具によって固定し、
さらに、パッドを介して、突っ張り棒を天井に対して概ね垂直に突っ張るものであって、
脚立の利用者が脚立を使用するときに、突っ張り棒によって、脚立を、床面と天井の間に突っ張ることにより、脚立の転倒防止性を顕著に改善すると共に、
脚立の利用者が、手摺りのみならず、手摺り上方に延伸した突っ張り棒をもつかまることによって、
転倒防止性を顕著に改善せしめる機能を発揮することを特徴とする脚立。
【発明の詳細な説明】
【技術分野】
【０００１】
本願発明は、転倒防止性と転倒防止性を顕著に改善した脚立に関する。
【背景技術】
【０００２】
従来の脚立は、転倒防止性と、高所作業安定性に問題があった。
その詳細は、日本工業規格Ｓ−１１２１号（アルミニウム合金製脚立及びはしご、ＵＲＬ；http://www.kokusen.go.jp/pdf/n-20070509_1.pdf）等に開示されている。
【非特許文献１】日本工業規格Ｓ−１１２１号（アルミニウム合金製脚立及びはしご、ＵＲＬ；http://www.kokusen.go.jp/pdf/n-20070509_1.pdf）
【発明の開示】
【発明が解決しようとする課題】
【０００３】
本願発明が解決しようとする課題の一つは、脚立の転倒防止性を顕著に改善することである。
【０００４】
本願発明が解決しようとする課題の一つは、脚立の利用者の転倒防止性を顕著に改善することである。
【課題を解決するための手段】
【０００５】
本願発明は、以下の特許請求の範囲における請求項１〜請求項３に記載した事項によって特定される。
【０００６】
［特許請求の範囲］
［請求項１］
脚部に延伸脚収納脚部を設けてなる脚立であって、
延伸脚収納脚部は、左右両側に延伸可能な延伸脚を収納可能な脚部であって、
延伸脚は、
脚立を使用しないときは、延伸脚収納脚部の内部、及び／又は、外部に収納され、
脚立を使用するときは、延伸脚収納脚部の内部、及び／又は、外部から、延伸脚収納脚部の左右両側に延伸されるものであって、
脚立を使用するときに、延伸脚収納脚部の左右両側に延伸脚を延伸することによって、脚立の転倒防止性を顕著に改善せしめる機能を発揮することを特徴とする脚立。
［請求項２］
脚部につかまり棒を設けてなる脚立であって、
つかまり棒は、長さが伸縮自在であると共に、一端が脚部上方に設けた支点に回動自在に固定されて、他端が支点を中心として回動自在であり、
脚立を使用しないときは、つかまり棒の長さをちぢめると共に、ちぢめたつかまり棒を、一端は脚部上方に設けてなる支点に、他端は脚部下方に設けてなる非使用時固定具によって、脚部に沿って邪魔にならないように固定収納され、
脚立を使用するときは、つかまり棒を、非使用時固定具から解除して、長さを延伸した後に固定すると共に、脚部上方に設けてなる支点を中心として上方に回動することによって、
つかまり棒を手摺り上方に延伸し、且つ、つかまり棒を手摺り上方に設けてなる使用時固定具により固定されるものであって、
脚立の利用者が脚立を使用するときに、手摺りのみならず、手摺り上方に延伸したつかまり棒をもつかまることによって、
転倒防止性を顕著に改善せしめる機能を発揮することを特徴とする脚立。
［請求項３］
脚部に突っ張り棒を設けてなる脚立であって、
突っ張り棒は、長さが伸縮自在であり、一端が脚部上方に設けた支点に回動自在に固定されて、他端が支点を中心として回動自在であり、他端にはパッドを固定可能であり、
脚立を使用しないときは、突っ張り棒の他端にパッドを取り付けることなく、長さをちぢめると共に、ちぢめた突っ張り棒を、一端は脚部上方に設けてなる支点に、他端は脚部下方に設けてなる非使用時固定具によって、脚部に沿って邪魔にならないように固定収納され、
脚立を使用するときは、突っ張り棒を、非使用時固定具から解除して、長さを延伸した後に固定し、且つ、他端にパッドを取り付けると共に、脚部上方に設けてなる支点を中心として上方に回動することによって、
突っ張り棒を手摺り上方から天井に向かって延伸し、且つ、突っ張り棒を手摺り上方に設けてなる使用時固定具によって固定し、
さらに、パッドを介して、突っ張り棒を天井に対して概ね垂直に突っ張るものであって、
脚立の利用者が脚立を使用するときに、突っ張り棒によって、脚立を、床面と天井の間に突っ張ることにより、脚立の転倒防止性を顕著に改善すると共に、
脚立の利用者が、手摺りのみならず、手摺り上方に延伸した突っ張り棒をもつかまることによって、
転倒防止性を顕著に改善せしめる機能を発揮することを特徴とする脚立。
【発明の効果】
【０００７】
本願発明が奏する作用効果の一つは、脚立の転倒防止性を顕著に改善することである。
【０００８】
本願発明が奏する作用効果の一つは、脚立の利用者の転倒防止性を顕著に改善することである。
【発明を実施するための最良の形態】
【０００９】
図１に、一般的な脚立（４脚タイプ）の部分の名称を示した。
その詳細は、日本工業規格Ｓ−１１２１号（アルミニウム合金製脚立及びはしご、ＵＲＬ；http://www.kokusen.go.jp/pdf/n-20070509_1.pdf）等に開示されている。
【００１０】
図２に、延伸脚未延伸状態（延伸脚収納状態）における本願発明の脚立の部分の名称を示した。
【００１１】
図３に、本願発明の脚立の延伸脚を概ね半分だけ延伸した状態を示した。
【００１２】
図４に、本願発明の脚立の延伸脚の延伸操作を示した。
【００１３】
図５に、本願発明の脚立の延伸脚を完全に延伸した状態を示した。
【００１４】
図６に、本願発明の脚立の延伸脚に設けた高さ調整ネジの外観を示した。
【００１５】
図７に、本願発明の脚立の延伸脚に設けた高さ調整ネジの外観を示した。
【００１６】
図８に、脚立の底面側の脚部、延伸脚、及び、高さ調整ネジの外観を示した。
【実施例１】
【００１７】
図９に、実施例１として、延伸脚収納脚部を設けた３脚タイプ脚立における延伸脚収納状態を示した。
図１０に、３脚タイプ脚立の延伸脚延伸状態を示した。
【実施例２】
【００１８】
図１１に、実施例２として、延伸脚収納脚部を２箇所設けた４脚タイプ脚立における延伸脚収納状態を示した。
図１２に、延伸脚収納脚部を２箇所設けた４脚タイプ脚立における延伸脚延伸状態を示した。
図１３に、延伸脚収納脚部を２箇所設けた４脚タイプ脚立の外観を示した。
【実施例３】
【００１９】
図１４に、実施例３として、４脚タイプ脚立につかまり棒を設けた態様の外観を示した。
図１４（Ａ）に、収納状態を示した。
図１４（Ｂ）に、延伸状態（固定前）を示した。
図１５に、つかまり棒を固定する操作を示した。
図１５（Ａ）は、固定位置セット前の外観である。
図１５（Ｂ）は、固定位置にセットする外観である。
図１５（Ｃ）は、固定具でロックした外観である。
図１６に、つかまり棒を利用して安全に脚立を昇降するイメージを示した。
図１６において使用した脚立は、縮尺１／２の４脚タイプ脚立の模型である。
【実施例４】
【００２０】
図１７に、実施例４として、３脚タイプ脚立につかまり棒を設けた態様の外観を示した。
図１７（Ａ）は、つかまり棒を収納した状態である。
図１７（Ｂ）に、つかまり棒を延伸する操作を示した。
図１８に、つかまり棒を利用して安全に脚立を昇降するイメージを示した。
図１８において使用した脚立は、縮尺１／２の３脚タイプ脚立の模型である。
【実施例５】
【００２１】
図１９に、実施例５として、突っ張り棒を設けた脚立の外観を示した。
図１９（Ａ）に、収納状態を示した。
図１９（Ｂ）に、延伸状態（固定前）を示した。
図２０に、突っ張り棒を固定する操作を示した。
図２０（Ａ）に、固定位置セット前の外観を示した。
図２０（Ｂ）に、固定位置にセットする外観を示した。
図２０（Ｃ）に、固定具でロックした外観を示した。
図２１に、突っ張り棒を脚立に固定した外観を示した。
図２１において使用した脚立は、縮尺１／２の４脚タイプ脚立の模型である。
図２２に、突っ張り棒にパッドをセットする操作を示した。
好ましい態様においては、パッド固定孔にはメスネジが設けてあり、パッドの突起に設けたオスネジをネジ込むことができる。
このようなネジ機構を採用することにより、ジャッキ機能により、高さ調節が出来ると共に、突っ張り強度を強化することが
出来る。
図２３に、突っ張り棒で天井に固定する前後の外観を示した。
図２３（Ａ）は、天井に固定する前の外観である。
図２３（Ｂ）は、天井に固定した外観である。
【図面の簡単な説明】
【００２２】
【図１】一般的な脚立（４脚タイプ）の部分の名称
【図２】本願発明の脚立の部分の名称        （延伸脚未延伸状態  ＝  延伸脚収納状態）
【図３】延伸脚を概ね半分だけ延伸した状態
【図４】延伸脚の延伸操作
【図５】延伸脚を完全に延伸した状態
【図６】延伸脚に設けた高さ調整ネジ
【図７】高さ調整ネジの外観
【図８】脚部、延伸脚、及び、高さ調整ネジの外観（底面側）
【図９】３脚タイプ脚立に延伸脚収納脚部を設けた実施例（延伸脚収納状態）
【図１０】３脚タイプ脚立に延伸脚収納脚部を設けた実施例（延伸脚延伸状態）
【図１１】４脚タイプ脚立に延伸脚収納脚部を２箇所設けた実施例（延伸脚収納状態）
【図１２】４脚タイプ脚立に延伸脚収納脚部を２箇所設けた実施例  （延伸脚延伸状態）
【図１３】延伸脚収納脚部を２箇所設けた４脚タイプ脚立の外観
【図１４】つかまり棒を設けた脚立の外観            （Ａ）収納状態、（Ｂ）延伸状態（固定前）
【図１５】つかまり棒を固定する操作            （Ａ）固定位置セット前            （Ｂ）固定位置にセット            （Ｃ）固定具でロック
【図１６】つかまり棒を利用して安全に脚立を昇降するイメージ図（縮尺１／２の４脚タイプ脚立の模型を利用したイメージ図）
【図１７】つかまり棒を固定する操作（３脚タイプ脚立の実施例）            （Ａ）つかまり棒収納状態            （Ｂ）つかまり棒延伸操作
【図１８】つかまり棒を利用して安全に脚立を昇降するイメージ図（縮尺１／２の３脚タイプ脚立の模型を利用したイメージ図）
【図１９】突っ張り棒を設けた脚立の外観            （Ａ）収納状態            （Ｂ）延伸状態（固定前）
【図２０】突っ張り棒を固定する操作            （Ａ）固定位置セット前            （Ｂ）固定位置にセット            （Ｃ）固定具でロック
【図２１】突っ張り棒を脚立に固定した外観（縮尺１／２の４脚タイプ脚立の模型を利用したイメージ図）
【図２２】突っ張り棒にパッドをセットする操作  好ましい態様においては、パッド固定孔にはメスネジが設けてあり、パッドの突起に設けたオスネジをネジ込むことができる。  このようなネジ機構を採用することにより、ジャッキ機能により、高さ調節が出来ると共に、突っ張り強度を強化することが出来る。
【図２３】突っ張り棒の天井への固定          （Ａ）天井に固定する前の外観          （Ｂ）天井に固定した外観
【図１】
2010285824.tif 000003
【図２】
2010285824.tif 000004
【図３】
2010285824.tif 000005
【図４】
2010285824.tif 000006
【図５】
2010285824.tif 000007
【図６】
2010285824.tif 000008
【図７】
2010285824.tif 000009
【図８】
2010285824.tif 000010
【図９】
2010285824.tif 000011
【図１０】
2010285824.tif 000012
【図１１】
2010285824.tif 000013
【図１２】
2010285824.tif 000014
【図１３】
2010285824.tif 000015
【図１４】
2010285824.tif 000016
【図１５】
2010285824.tif 000017
【図１６】
2010285824.tif 000018
【図１７】
2010285824.tif 000019
【図１８】
2010285824.tif 000020
【図１９】
2010285824.tif 000021
【図２０】
2010285824.tif 000022
【図２１】
2010285824.tif 000023
【図２２】
2010285824.tif 000024
【図２３】
2010285824.tif 000025